(57)【要約】【課題】外観形状を記録媒体と同心円の円弧状に構成することにより、本体をグリップした際に親指のつけ根から手のひら部分をカメラ本体にフィットさせ、ホールド感を向上させる。【解決手段】  撮像装置において、記録媒体装着部の撮影者側の筐体の一部が円弧状になっており、記録媒体装着部の被写体側に記録媒体を挿抜する際の蓋部材の開閉動作に係るヒンジが配置されていることを特徴とする撮像装置。【選択図】      図１
2007020069.tif 000002
【特許請求の範囲】
【請求項１】
撮像装置において、記録媒体装着部の撮影者側の筐体の一部が円弧状になっており、記録媒体装着部の被写体側に記録媒体を挿抜する際の蓋部材の開閉動作に係るヒンジが配置されていることを特徴とする撮像装置。
【請求項２】
前記撮像装置の筐体の円弧部分が、前記記録媒体の回転中心と一致していることを特徴とする撮像装置。
【請求項３】
前記撮像装置において、記録媒体の回転中心が撮像装置本体を把持する際の手の中に収まるように配置されたグリップを有することを特徴とする撮像装置。
【請求項４】
前記撮像装置は、操作キーを有し、前記撮像装置の筐体の円弧に沿って前記操作キーを配置したことを特徴とする撮像装置。
【請求項５】
前記操作キーがコントロールパッドであることを特徴とする撮像装置。
【請求項６】
前記撮像装置において、記録媒体を挿抜する際の蓋部材の開閉動作に係るヒンジが記録媒体装着部に垂直に配置したことを特徴とする撮像装置。
【発明の詳細な説明】
【技術分野】
【０００１】
本発明は撮像装置のグリップのホールド感向上に係わる撮像装置に関するものである。
【背景技術】
【０００２】
従来の撮像装置は、記録メディアの形状や、記録媒体を挿抜する際の蓋部材の開閉に係るヒンジを配置するために、記録媒体装着部側は、角張った形状をしていた。
【０００３】
また、特許文献１では、撮像装置本体の記録媒体収納部が回転グリップとなっていた。
【特許文献１】特開２０００−３２３１４号公報
【発明の開示】
【発明が解決しようとする課題】
【０００４】
しかしながら、従来のような撮像装置では、記録媒体装着部の撮影者側の筐体は角張っており、撮影者がグリップした際にホールド感が悪かった。また、特許文献１のようなボディー全体が円形状だと、記録媒体を挿抜する際の蓋部材の開閉に係るヒンジを配置するためには形状が大きくなってしまうという問題があった。
【０００５】
本発明では、撮影者がグリップを把持する際のグリップ感に対して重要である記録媒体装着部の撮影者の筐体を円弧状にし、記録媒体装着部の被写体側にヒンジを配置することにより、グリップ感が良く、ヒンジを配置しても形状が大きくならない撮像装置を提案する。
【課題を解決するための手段】
【０００６】
本発明に係る撮像装置は、記録媒体装着部の撮影者側の筐体の一部が円弧状になっており、記録媒体の装着部の被写体側に記録媒体を挿抜する際の蓋部材の開閉動作に関わるヒンジが配置されていることを特徴とする。
【０００７】
また、別の発明に係る撮像装置では、撮像装置の筐体の円弧部分が、前記記録媒体の回転中心と一致していることを特徴とする。
【０００８】
また、別の発明に係る撮像装置では、前記撮像装置において、記録媒体の回転中心が撮像装置本体を把持する際の手の中に収まるように配置されたグリップを有することを特徴とする撮像装置。
【０００９】
また、別の発明に係る撮像装置では、前記撮像装置は、操作キーを有し、前記撮像装置の筐体の円弧に沿って前記操作キーを配置したことを特徴とする。
【００１０】
また、別の発明に係る撮像装置では、前記操作キーがコントロールパッドであることを特徴とする。
【発明の効果】
【００１１】
本発明の撮像装置では、筐体の一部が円状の記録媒体の形状に合せて、円弧状になっているため、前記筐体の円弧部分と、撮影者の手がフィットする。これにより非常にグリップ感の良い撮像装置ができる。
【００１２】
また、記録媒体の回転中心と、撮像装置の筐体の円弧部分の中心が一致しているため、撮影者がグリップした際に記録媒体を包み込むように把持するので、記録媒体の回転等の動作によって発生する振動、ブレを減少させることができる。
【００１３】
また、操作キーを撮像装置の筐体の円弧に沿って配置しているため、グリップしたまま操作を行いやすい。
【発明を実施するための最良の形態】
【００１４】
以下本発明を実施するための最良の形態を、実施例により詳しく説明する。
【実施例１】
【００１５】
本発明の実施の形態を図１に基づき説明する。図１は本発明の第１の実施形態に係る撮像装置を示す図であり、同図において、１０１は撮像装置を示しており、同図、撮像装置１０１の左側が撮影者側１０２であり、同図、撮像装置１０１の右側が被写体側１０３である。前記撮像装置は、図１の紙面表側に記録媒体装着部１０４を有しており、前記、記録媒体装着部１０４の撮影者側１０２の筐体の一部が円弧状になっている。
【００１６】
また、前記撮像装置において、前記記録媒体装着部１０４の被写体側１０３に、記録媒体を挿抜する際の蓋部材の開閉動作に係るヒンジ１０６が配置されている。
【００１７】
上記構成において、前記撮像装置の筐体の円弧部分が前記記録媒体の回転中心の記録媒体中心１０５と一致している。
【実施例２】
【００１８】
次に本発明の第２の実施例を図２に基づき説明する。なお、本実施例に係る撮像装置の基本的な構成は上述した第１の実施例の形態と同一であるため省略する。
【００１９】
図２は、撮影者が実施例１で示した撮像装置を把持している状態を示しており、２０１は前記撮像装置のグリップを示しており、２０２は前記撮影者の手を示している。このとき、前記撮影者の手２０２が前記撮像装置の筐体の円弧部分を包み込むように把持することによって、しっかりと前記撮像装置を把持できる形状になっている。
【実施例３】
【００２０】
次に本発明の第３の実施例を図３に基づき説明する。なお、本実施例に係る撮像装置の基本的な構成は上述した第１の実施例の形態と同一であるため省略する。
【００２１】
図３は実施例１に示した撮像装置において、前記撮像装置を操作するための、操作キーを有しており、操作キーａ３０１、操作キーｂ３０２、操作キーｃ３０３、操作キーｄ３０４、操作キーｅ３０５、操作キーｆ３０６、操作キーｇ３０７である。前記操作キーは、撮影もしくは再生の際に使用する操作キーであり、ズーム操作キー、トリガー、レリーズキー、電源オン、オフ、再生、一時停止、早送り，巻戻し、静止画サムネイル送り、撮影モード切り替え操作キー、ナイトモード切替キー、ＬＣＤ表示明るさ切り替えキー等を割り当てている。前記操作キーは、前記撮像装置の筐体の円弧に沿って配置されている。
【実施例４】
【００２２】
次に本発明の第４の実施例を図４に基づき説明する。なお、本実施例に係る撮像装置の基本的な構成は上述した第１の実施例の形態と同一であるため省略する。
【００２３】
図４は実施例３で示した操作キーの変わりに、コントロールパッド４０１を使用している。これにより操作性が向上する。
【実施例５】
【００２４】
次に本発明の第５の実施例を図５に基づき説明する。なお、本実施例に係る撮像装置の基本的な構成は上述した第１の実施例の形態と同一であるため省略する。
【００２５】
図５は記録媒体装着部蓋５０２の開閉について示した図である。ここで、光軸と平行な軸をＸ軸とし、前記Ｘ軸に対し垂直かつ撮像装置の高さ方向を示した軸をＹ軸とする。前記１０１で示した撮像装置において、記録媒体５０１を取り出す際に記録媒体装着部蓋５０２を開けた際の図を示している。このときヒンジ（１）５０３はＹ軸と平行に位置し、前記ヒンジ（１）５０３を回転の中心として前記記録媒体装着部蓋５０２は回動する。
【実施例６】
【００２６】
次に本発明の第６の実施例を図６に基づき説明する。なお、本実施例に係る撮像装置の基本的な構成は上述した第１の実施例の形態と同一であるため省略する。
【００２７】
図６は記録媒体装着部蓋６０１の開閉について示した図である。実施例５に示したＸ軸、Ｙ軸を同様に配置し、ＸＹ平面に垂直なＺ軸を配置する。ヒンジ（２）６０２は、前記Ｚ軸と平行に配置する。前記ヒンジ（２）６０２を回転中心として記録媒体装着部蓋６０１が回動することにより。５０１の記録媒体を取り出すことができる。
【図面の簡単な説明】
【００２８】
【図１】撮像装置外観図
【図２】グリップ状態を示す図
【図３】円弧状に配置された操作キーを示す図
【図４】円弧に沿って配置されたコントロールパッドを示す図
【図５】ヒンジ開閉動作（１）を示す図
【図６】ヒンジ開閉動作（２）を示す図
【符号の説明】
【００２９】
１０１  撮像装置
１０２  撮影者側
１０３  被写体側
１０４  記録媒体装着部
１０５  記録媒体中心
１０６  ヒンジ
２０１  グリップ
２０２  撮影者の手
３０１  操作キーａ
３０２  操作キーｂ
３０３  操作キーｃ
３０４  操作キーｄ
３０５  操作キーｅ
３０６  操作キーｆ
３０７  操作キーｇ
４０１  コントロールパッド
５０１  記録媒体
５０２  記録媒体装着部蓋（１）
５０３  ヒンジ（１）
６０１  記録媒体装着部蓋（２）
６０２  ヒンジ（２）
【図１】
2007020069.tif 000003
【図２】
2007020069.tif 000004
【図３】
2007020069.tif 000005
【図４】
2007020069.tif 000006
【図５】
2007020069.tif 000007
【図６】
2007020069.tif 000008